(57)【要約】【課題】本発明は、構造が簡単であるＳＡＴＡモジュール及びこれを用いられるデータ送信装置を提供することを目的とする。【解決手段】本発明に係るＳＡＴＡモジュールは、複数の回路基板を備える。各回路基板には、拡張チップ及びＳＡＴＡ装置が設けられており、各拡張チップには、入力端、出力端及び拡張端があり、前記拡張チップのうちの第一拡張チップの入力端は、マザーボードにおけるＳＡＴＡ制御器に接続され、残りの拡張チップの入力端は、拡張チップのうち自身以外のいずれか一つの拡張チップの拡張端に接続され、各拡張チップの出力端には、対応するＳＡＴＡ装置が接続され、ＳＡＴＡ制御器は、複数の拡張チップを介して複数のＳＡＴＡ装置と同時にデータ交換を行う。【選択図】図２
2013229027.tif 000002
【特許請求の範囲】
【請求項１】
複数の回路基板を備えるＳＡＴＡモジュールにおいて、
各回路基板には、複数の拡張チップ及びＳＡＴＡ装置が設けられており、
各拡張チップには、入力端、出力端及び拡張端があり、
前記拡張チップのうちの第一拡張チップの入力端は、マザーボードにおけるＳＡＴＡ制御器に接続され、
残りの拡張チップの入力端は、拡張チップのうち自身以外のいずれか一つの拡張チップの拡張端に接続され、
各拡張チップの出力端には、対応するＳＡＴＡ装置が接続され、
前記ＳＡＴＡ制御器は、前記複数の拡張チップを介して複数のＳＡＴＡ装置と同時にデータ交換を行うことを特徴とするＳＡＴＡモジュール。
【請求項２】
前記ＳＡＴＡモジュールは、コネクタをさらに備え、
前記コネクタが前記第一拡張チップの入力端に接続される一方、前記ＳＡＴＡ制御器に接続されることによって、前記ＳＡＴＡ制御器と前記ＳＡＴＡ装置とが電気的に接続されることを特徴とする請求項１に記載のＳＡＴＡモジュール。
【請求項３】
ＳＡＴＡ制御器が設けられているマザーボードを備えるデータ送信装置において、
前記データ送信装置は、複数の回路基板を備えているＳＡＴＡモジュールをさらに備え、
各回路基板には、複数の拡張チップ及びＳＡＴＡ装置が設けられており、
各拡張チップには、入力端、出力端及び拡張端があり、
前記拡張チップのうちの第一拡張チップの入力端は、マザーボードにおけるＳＡＴＡ制御器に接続され、
残りの拡張チップの入力端は、拡張チップのうち自身以外のいずれか一つの拡張チップの拡張端に接続され、
各拡張チップの出力端には、対応するＳＡＴＡ装置が接続され、
前記ＳＡＴＡ制御器は、前記複数の拡張チップを介して複数のＳＡＴＡ装置と同時にデータ交換を行うことを特徴とするデータ送信装置。
【請求項４】
前記ＳＡＴＡモジュールは、コネクタをさらに備え、
前記コネクタが前記第一拡張チップの入力端に接続される一方、前記ＳＡＴＡ制御器に接続されることによって、前記ＳＡＴＡ制御器と前記ＳＡＴＡ装置とが電気的に接続されることを特徴とする請求項３に記載のデータ送信装置。
【請求項５】
前記ＳＡＴＡ制御器は、少なくとも１つのインタフェースを備え、
前記コネクタが前記インタフェースに接続されることによって、前記マザーボードと前記ＳＡＴＡモジュールとが電気的に接続されることを特徴とする請求項３に記載のデータ送信装置。
【発明の詳細な説明】
【技術分野】
【０００１】
本発明は、ＳＡＴＡモジュール及びこれを用いるデータ送信装置に関するものである。
【背景技術】
【０００２】
図１に示すように、コンピュータのマザーボード１００には、通常シリアルアドバンスドテクノロジーアタッチメント（ｓｅｒｉａｌ  ａｄｖａｎｃｅｄ  ｔｅｃｈｎｏｌｏｇｙ  ａｔｔａｃｈｍｅｎｔ，以下ＳＡＴＡと略称する）制御器１１が設けられている。ＳＡＴＡ制御器１１には、複数のＳＡＴＡインタフェース１１１が設けられている。これらＳＡＴＡインタフェース１１１は、ＳＡＴＡバスを介して対応するＳＡＴＡ装置２００（例えば、ハードディスク、光学ドライブ等）にそれぞれ接続されて、該ＳＡＴＡ制御器１１と該ＳＡＴＡ装置２００とのデータ伝送を行う。
【０００３】
しかし、従来技術においては、ＳＡＴＡ制御器１１のＳＡＴＡインタフェース１１１の数が制限されている（一般的に、４個）ので、多数（５個以上）のＳＡＴＡ装置２００がＳＡＴＡ制御器１１とデータ伝送を同時に行いたい場合、マザーボード１００に別のＳＡＴＡ制御器を設ける必要がある。従って、マザーボード１００のコストが高くなるだけではなく、マザーボード１００の配線空間も占有する。
【発明の概要】
【発明が解決しようとする課題】
【０００４】
以上の問題点に鑑みて、本発明は、構造が簡単であるＳＡＴＡモジュール及びこれを用いられるデータ送信装置を提供することを目的とする。
【課題を解決するための手段】
【０００５】
前記課題を解決するために、本発明に係るＳＡＴＡモジュールは、複数の回路基板を備える。各回路基板には、拡張チップ及びＳＡＴＡ装置が設けられており、各拡張チップには、入力端、出力端及び拡張端があり、前記拡張チップのうちの第一拡張チップの入力端は、マザーボードにおけるＳＡＴＡ制御器のＳＡＴＡインタフェースに接続され、残りの拡張チップの入力端は、拡張チップのうち自身以外のいずれか一つの拡張チップの拡張端に接続され、各拡張チップの出力端には、対応するＳＡＴＡ装置が接続され、前記ＳＡＴＡ制御器は、前記複数の拡張チップを介して複数のＳＡＴＡ装置と同時にデータ交換を行う。
【０００６】
また、課題を解決するために、本発明に係るデータ送信装置は、ＳＡＴＡ制御器が設けられているマザーボード及び複数の回路基板を備えているＳＡＴＡモジュールを備える。各回路基板には、拡張チップ及びＳＡＴＡ装置が設けられており、前記拡張チップのうちの各拡張チップには、入力端、出力端及び拡張端があり、第一拡張チップの入力端は、マザーボードにおけるＳＡＴＡ制御器に接続され、残りの拡張チップの入力端は、拡張チップのうち自身以外のいずれか一つの拡張チップの拡張端に接続され、各拡張チップの出力端には、対応するＳＡＴＡ装置が接続され、前記ＳＡＴＡ制御器は、前記複数の拡張チップを介して複数のＳＡＴＡ装置と同時にデータ交換を行う。
【発明の効果】
【０００７】
本発明に係るデータ送信装置において、ＳＡＴＡモジュールにコネクタを設け、且つ該コネクタを介して前記ＳＡＴＡモジュールをＳＡＴＡ制御器に電気的に接続させることによって、該ＳＡＴＡ制御器が前記ＳＡＴＡモジュールにおける複数のＳＡＴＡ装置と同時にデータ交換を行って、マザーボードに別のＳＡＴＡ制御器を設けられる必要がなく、マザーボードの構造を簡略化させる一方、設計コストも節約する。
【図面の簡単な説明】
【０００８】
【図１】従来のデータ送信装置の機能ブロック図である。
【図２】本発明に係るデータ送信装置の機能ブロック図である。
【発明を実施するための形態】
【０００９】
以下、図面に基づいて、本発明に係るＳＡＴＡモジュール及びこれを用いられるデータ送信装置について詳細に説明する。
【００１０】
図２に示したように、本発明に係るデータ送信装置３００は、マザーボード３１及びＳＡＴＡモジュール３２を備える。マザーボード３１には、ＳＡＴＡ制御器３１１が設けられている。ＳＡＴＡ制御器３１１には、少なくとも１つのＳＡＴＡインタフェース３１１１が設けられている。ＳＡＴＡモジュール３２は、ＳＡＴＡインタフェース３１１１に接続されて、該ＳＡＴＡ制御器３１１とデータ伝送を行う。
【００１１】
ＳＡＴＡモジュール３２は、ＳＡＴＡコネクタ３２１及び複数の回路基板３２３を備える。ＳＡＴＡコネクタ３２１がＳＡＴＡバスを介してインタフェース３１１１に接続されることによって、ＳＡＴＡモジュール３２とマザーボード３１との電気的な接続を確立する。各回路基板３２３には、拡張チップ及びＳＡＴＡ装置３２３３（例えば、ハードディスク、光学ドライブ等）が設けられている。各拡張チップには、入力端ｉｎ、出力端ｏｕｔ及び拡張端ｅｘｐａｎｄがある。その中で、前記拡張チップのうちの第一拡張チップ３２３１の入力端ｉｎはコネクタ３２１に接続されて、該コネクタ３２１及びＳＡＴＡバスを介してマザーボード３１におけるＳＡＴＡ制御器３１１に接続される。前記拡張チップのうちの第二拡張チップの入力端ｉｎは、前記第一拡張チップ３２３１の拡張端ｅｘｐａｎｄに接続される。前記拡張チップのうちの第三拡張チップの入力端ｉｎは、前記第二拡張チップの拡張端ｅｘｐａｎｄに接続される。このようにして、第四、第五拡張チップが接続される。各拡張チップ３２３１の出力端ｏｕｔには、対応するＳＡＴＡ装置３２３３が接続されている。
【００１２】
データ送信装置３００を使用する場合、ＳＡＴＡバスを介してＳＡＴＡモジュール３２におけるコネクタ３２１とＳＡＴＡ制御器３１１における１つのＳＡＴＡインタフェース３１１１とが接続されるのみで、ＳＡＴＡモジュール３２とＳＡＴＡ制御器３１１との電気的な接続を確立する。これにより、ＳＡＴＡ制御器３１１は、コネクタ３２１及び拡張チップ３２３１を介して対応するＳＡＴＡ装置３２３３と同時にデータ交換を行うことによって、マザーボード３１の記憶容量を拡張する目的を達成する。
【００１３】
本発明に係るデータ送信装置３００において、ＳＡＴＡモジュール３２にコネクタ３２１を設け、且つ該コネクタ３２を介して前記ＳＡＴＡモジュール３２をＳＡＴＡ制御器３１１に電気的に接続させることによって、該ＳＡＴＡ制御器３１１が前記ＳＡＴＡモジュール３２における複数のＳＡＴＡ装置３２３３と同時にデータ交換を行って、マザーボード３１に別のＳＡＴＡ制御器を設ける必要がなく、マザーボード３１の構造を簡略化させる一方、設計コストも節約することができる。
【００１４】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００１５】
３００              データ送信装置
１００、３１        マザーボード
１１、３１１        ＳＡＴＡ制御器
１１１、３１１１    ＳＡＴＡインタフェース
２００、３２３３    ＳＡＴＡ装置
３２                ＳＡＴＡモジュール
３２１              コネクタ
３２３              回路基板
３２３１            拡張チップ
ｉｎ                入力端
ｏｕｔ              出力端
ｅｘｐａｎｄ        拡張端
【図１】
2013229027.tif 000003
【図２】
2013229027.tif 000004